(57)【要約】      （修正有）【課題】  ゴルファーにとっていついかなる場面でも一定の正確なスウィングが出来ることが理想である。シャフト上に３次元位置測定器を付設し、正確なスウィングが出来た場合、光と音声で練習者に伝える装置を提供する。【解決手段】  ゴルフシャフト上、先端などに非磁性体で出来た外部球体１内部に磁性体でできた自由な動きが可能な内部球体２を収蔵し、正確なスウィング軌道面に磁気センサー３を外部球体外面に配置し、内部球体が接したときにスウィッチが作動するような構造の３次元位置検知器で発光、音声で練習者に正確なスウィングができていることを知らせるゴルフスウィング練習器。【選択図】図１
2005334063.tif 000002
【特許請求の範囲】
【請求項１】
ゴルフシャフトや短尺の練習用シャフトのグリップエンド、グリップ先、
シャフト先端等に固定された非導電性、非磁性の球体又は両端が球面を有する円筒体の内部に、その球体の内径より小さい外径で、自由に移動できるかつＮ、Ｓの磁性を持つ磁石球体を内部球体とした位置検知器において、正しいアドレス・バックスウィング・打点・フォロースウィングのスウィングをした場合、シャフトに固定された球体又は円筒体と内部球体の接点に固定された球体又は円筒体の外部に非接触型磁気センサーを設け、電池を含めた電子回路の中でＬＥＤなどの発光器具と電子音で光や音を出すことで練習者に正しいスウィングを伝えるゴルフスウィング練習器。
【請求項２】
請求項１で非電導、非磁性体であるシャフト上に固定された球体や円筒体の内部に水や油類を充填させ、内部球体の自由度を制限する構造としたゴルフスウィング練習器。
【発明の詳細な説明】
【技術分野】
【０００１】
本発明はゴルフの正確なスウィングを体得するための練習器に関するものである。
【背景技術】
【０００２】
ゴルフは体調、練習量、同伴者などの要因で日々または各ホールで打球の方向、飛距離などが大きく変化する特徴を持つスポーツである。この打球の方向、飛距離などは主にスウィングの変化が原因とされるが、その安定化のため各種スウィング練習器が開発、販売されている。特許文献１では通常シャフトより短くかつ適切な重量を定義した器具、特許文献２では手袋に知覚信号を発する器具、特許文献３にはスウィングの角度を検出し知らせる腕時計型ゴルフウォッチが提案されている。しかしながらゴルファーにとって満足度は低く、スウィングを安定させる道具が求められている。
【０００３】
【特許文献１】実開平５−７２７２
【特許文献２】特開平１０−２８６３３８
【特許文献３】特開平１１−１９７２８３
【発明の開示】
【発明が解決しようとする課題】
【０００４】
正確な打球や飛距離を得るには常に正確なスウィングが求められるが、そのために素振りや練習場で練習を繰り返すが自分のスウィングが正確になされているのか確認の方法がなかった。練習場では垂直に対して人の背中方向に傾斜した角度をもつ人の体を取り巻く金属製などで作成された輪に沿ってスウィングを練習する道具があるが、個人では保有できない欠点がある。
【課題を解決するための手段】
【０００５】
ゴルフのスウィングはプロフェッショナルな選手やインストラクチャによって異なることがあるが、一般的には下記インサイド・インの打法が標準といわれている。すなわち
１．  シャフトのライ角度の沿った角度でのアドレスで、軽く両肘を曲げ、正面に構え
２．  右脇を締め、上半身のねじれを伴い右肩と右耳の間にグリップが移動するバックスウィング
３．  右足のキックを伴いながら、かつヘッドアップを防ぎながら正確に１の位置に振り下ろす打点
４．  グリップを左肩と左耳の間に持ち上げるフォロースウィング
で、ドライバーからショートアイアンまで、またこれらのスウィングの動きは男女、身長、体重とは基本は一定であると言われる。
【０００６】
本発明は上記１−４までの過程を正確にスウィングすると光と音声で練習者に知らせる練習器を提供しようとするものである。
【０００７】
すなわち上記標準１−４のスウィングの動きは、本、短尺問わずシャフト上に固定された球体又は両面が半球体を有する円筒体（以下外部球体と称す）と、その球体より直径の小さい外径を持つかつ自由に内部を移動する内部球体との接点の軌跡は常に一定であるということを利用し、その軌道接点に電気的接点を設け、光や音で正確、不正確を練習者に知らしめる構造を発明者達は発明した。
【発明の効果】
【０００８】
本発明品のスウィング練習器をシャフトや短尺の練習用シャフトに装着することで日常いつでも、どこでも正確なスウィングの練習が可能であり、ゴルフ場でのプレイ直前に自分のスウィングをチェックでなどの利点がある。
【発明を実施するための最良の形態】
【０００９】
標準的なアドレスからバックスウィング・打点・フォロースウィングの軌跡は人体の身長と無関係に一定であることは前述したが、その軌跡上ではシャフトの任意の点に固定された外部球体とその中の自由の移動する内部球体の接点の軌跡は一定である。
【００１０】
その軌道全部又は一部に電気的接点を設け、プロセッサーを具備することで光や音声でその軌道を通過したかを練習者に知らせることが可能である。
【実施例】
【００１１】
図１は短尺型ゴルフスウィング練習器全体の組立図を示す。自由に移動できるＮ，Ｓ極を有する磁性内部球体２を内部に入れたプラスチックなど非磁性体で出来た外部球体１の外側球面に非接触型センサー３を具備した外部球体１を保持する保持体４，５で構成され、更に非接触型センサー３からの電気信号を送るリード線とリード線穴６で連結されプロセッサー７が保持体８に保持される。保持体４，５，８は接着やビスなどで固定され、ゴルフ練習用器シャフト９に固定される。
【００１２】
図２はゴルフスウィングの流れを示す。図１の中のＡポイントがアドレスで、順次Ｂポイントがバックスウィングの途中、Ｃポイントが打点、Ｄポイントがフォロースウィングの途中であるが、この各点又はそれを結ぶ線上での内部球体は通過する外部球体の外面に磁気センサーを貼り付け、Ｎ・Ｓ極を持つ内部球体が通過した時、スウィッチが作動する構造にすることで標準スウィングを検知することが出来る。
【００１３】
図３はＣＰＵの概念図を示す。上記適正なポイントにスウィングがなされた時、磁気センサー３から電気的信号が電池１０を具備するプロセッサー７に送られ、発光器具１１、音声発生器具１２で外部にスウィングの正確さを伝える。
【００１４】
外部球体の直径は検知機能を高めるには大きい方が好ましいが、スウィングする上で支障のない１００ｍｍ以下、好ましくは５０ｍｍ以下である。内部球体の直径は余りに小さいとわずかな振動で動き回り、位置が定まらない欠点を有するため、外部球体直径の５％から５０％以下を内部球体の直径にすることが望ましい。
【００１５】
また外部球体の内部に水又は油類を充填することで内部球体の自由度を制限する方法も実用的である。
【００１６】
この３次元位置検知器はパターや野球の標準スウィング練習器等他スポーツに応用可能である。更には傾きや、衝撃などがある範囲でしか許されない製品の輸送時に、傾き・衝撃を検知し、警報を出したりや記録を取るなど産業用にも活用可能である。
【図面の簡単な説明】
【００１７】
【図１】ゴルフスウィング練習器全体図を示す。
【図２】ゴルフスウィングの流れを示す。
【図３】プロセッサーの概念図を示す。
【符号の説明】
【００１８】
１．  外部球体
２．  内部球体
３．  非接触磁気センサー
４．  保持体
５．  保持体
６．  リード線穴
７．  プロセッサー
８．  保持体
９．  ゴルフ練習器シャフト
１０．電池
１１．発光器具
１２．音声発生器具
【図１】
2005334063.tif 000003
【図２】
2005334063.tif 000004
【図３】
2005334063.tif 000005